(57)【要約】通信ネットワーク内の基地局のための改良アンテナ配置を開示する。その構造は、マルチビームパターンを生成すると同時に受容可能なサイドローブレベルを達成するパネルの開口（３）を有する。典型的な構造は、アンテナパネルに沿って３つの分離した垂直方向の柱に構成され、それにより放射開口を形成する複数の放射器要素（５）からなる。そのようなパネルが多数集まって１つの基地局アンテナを形成し、各開口が２つのビームを生成する。３つの分離した柱からなる組は、通常複数の仰角パターンを供給するためにさらにサブパネルに分割される。３つの分離した柱からなる各組からの２つのローブの給電信号は、仰角ビーム形成ネットワークに接続し、さらに、アンテナポートを形成する３つの出力端子を有するアジマス角ビーム形成ネットワーク（７）に接続する。ビーム形成ネットワーク（７）は通常、アンテナポートに出現する信号間に９０度の位相勾配を形成する。一般に、３つの分離した柱は垂直方向に分極され、上下方向にならぶ複数のサブパネルを有し、３つの柱のそれぞれが少なくとも３つの開口連結放射器要素を有する。開口連結型の放射器要素（５）は一般に区画式アンテナ要素から構成され、一般にストリップラインネットワークにより個別に給電される。ビーム形成ネットワークは９０度の位相勾配を支持してもよく、または任意の角度を支持してもよい。
2004520732.tif 000002
【特許請求の範囲】
【請求項１】
サイドローブレベルが低くマルチビームパターンを生成する開口を有する、通信ネットワーク内の基地局のためのアンテナ構造であって、
複数の放射器要素（５）がアンテナパネル（３）に沿って３つの分離した柱に構成され、そこに１つの開口を形成しており、そのようなパネルが複数集まって基地局アンテナを形成し、それぞれの開口が２つのビームを生成していることと、
３つの分離した柱の各組が、異なる仰角パターンのために少なくとも１つのサブパネルを形成することと、
アンテナポートを形成する第１、第２および第３出力端子と、２つの入力端子とを有し、アンテナポートに出現する信号間に位相勾配を形成するビーム形成ネットワーク（７）に、３つの柱からなるサブパネルが接続することと
を特徴とするアンテナ構造。
【請求項２】
３つの分離した柱は垂直方向に分極され、上下方向に並ぶ少なくとも２つのセクション（４、１４）、および一般には２ないし８のオーダーのセクションからなることを特徴とする、請求項１に記載のアンテナ構造。
【請求項３】
３つの柱のそれぞれが少なくとも３つの放射器要素（５）を有することを特徴とする、請求項２に記載のアンテナ構造。
【請求項４】
放射器要素（５）はストリップラインネットワークにより個別に給電される区画式アンテナ要素からなることを特徴とする、請求項３に記載のアンテナ構造。
【請求項５】
前記パネルを２つ（３ａ、３ｂ）使用して、アジマス角で２４０度までのオーダーの広いセクターをカバーするに足るアンテナ装置を形成することを特徴とする、請求項１に記載のアンテナ構造。
【請求項６】
各パネルのビーム形成ネットワーク（７）が、開口の法線から約±３０度の方向に向かう、約６０度の範囲の２つのビームを生成するパワーコンバイナ（１６）と４つのハイブリッド（１１）とを含むことを特徴とする、請求項１に記載のアンテナ構造。
【請求項７】
各パネルのビーム形成ネットワーク（７）が、任意の位相勾配を有する２つのビームを生成するパワーコンバイナ（１６）と、２つの位相器（１５）と、２つのパワースプリッタ（１３）と２つのハイブリッド（１１）とを含むことを特徴とする、請求項１に記載のアンテナ構造。
【請求項８】
ビーム形成ネットワーク（７）が、位相器により得た、開口の法線から約±３０度の方向に向かう、約６０度の範囲の２つのビームを生成することを特徴とする、請求項７に記載のアンテナ構造。
【請求項９】
ビーム形成ネットワーク（７）は、柱の放射器要素への信号ポートを形成する第１および第３出力端子（Ａ１、Ａ３）に漸減する信号を供給し、それにより中間の第２放射器要素の柱（Ａ２）の励起を該中間の柱のいずれの側の柱よりも大きくすることを特徴とする、請求項６、７または８に記載のアンテナ構造。
【請求項１０】
ビーム形成ネットワーク（７）が、入力ポートのうちの１つを終端処理した３×３ポートのブラス（Blass）行列から構成されることを特徴とする、請求項１に記載のアンテナ構造。
【請求項１１】
ビーム形成ネットワーク（７）が、入力ポートのうちの１つを終端処理した３×３ポートのノーラン（Nolan）行列を利用することを特徴とする、請求項１に記載のアンテナ構造。
【請求項１２】
ビーム形成ネットワーク（７）が、２つの入力ポートを終端処理し、２つのアンテナ出力ポートを結合させた４×４ポートのバトラー（Butler）行列を利用することを特徴とする、請求項１に記載のアンテナ構造。
【請求項１３】
通信ネットワーク内の基地局のサイドローブレベルを低下させたマルチローブ構造を形成するアンテナシステムであって、
アンテナの開口を形成するパネルには放射器要素（５）からなる３つの垂直な柱が設けられ、該３つの柱にアジマス角ビーム形成ネットワーク（７）により給電することで、各パネル（３）がサイドローブレベルが向上した２ビーム開口を形成することと、
そのようなパネルを２つ使用して角度をつけた共通パネルを形成し、アジマス角で２４０度までのオーダーのセクターをカバーするアンテナ構造を提供することと
を特徴とするアンテナシステム。
【請求項１４】
放射器からなる３つの柱を有する各パネルが複数のサブパネルに分割され、各サブパネル（４、１４）がまた個別のアジマス角ビーム形成ネットワークにより給電される放射器からなる３つの垂直な柱を有し、該ネットワークは仰角ビーム形成ネットワークにより給電されることを特徴とする、請求項１３に記載のアンテナシステム。
【請求項１５】
放射器要素（５）は、ストリップラインネットワークにより給電される垂直方向に分極した区画要素を構成することを特徴とする、請求項１３に記載のアンテナシステム。
【請求項１６】
３対のパネル（３ａ、３ｂ）により３６０度をカバーするアンテナ構造を形成していることにより、基地局アンテナアレーの機械的構造をさらに簡素化し、その風荷重を低減することを特徴とする、請求項１３に記載のアンテナシステム。
【請求項１７】
ビーム形成ネットワーク（７）はブラス行列、ノーラン行列またはバトラー行列のいずれかを構成することを特徴とする、請求項１３に記載のアンテナシステム。
【請求項１８】
ビーム形成ネットワーク（７）は９０度の位相勾配で動作することを特徴とする、請求項１７に記載のアンテナシステム。
【請求項１９】
ビーム形成ネットワーク（７）は任意の位相勾配で動作することを特徴とする、請求項１６に記載のアンテナシステム。
【発明の詳細な説明】
【技術分野】
【０００１】
本発明は位相アンテナアレーに関し、より詳細には、特に通信ネットワーク内の基地局のための多重ローブアンテナに関する。
【背景技術】
【０００２】
基地局アンテナは、一般に、十分な利得を達成し、セルをカバーするための、仰角が狭くアジマス角が広いビームを達成するために、アンテナ要素からなる垂直方向の線形アレーから成っている。一般に、環境上の制約からできるだけ小さなアンテナユニットが所望される。また、例えば１つのユニット（すなわち共通サイト）に２つ以上の周波数帯域を含む、またはアンテナユニット内に２つ以上のビームを含むなどすることにより、１サイトに必要とされるアンテナユニットの数を減少させることも有利と考えられている。別の要求は、２つのビームを異なる方向に供給する基地局アンテナの開口である。
【０００３】
従来技術はこの問題を解決するために様々な方法を利用している。例えば、開口連結型のマイクロストリップアンテナ、アンテナアレー、及びハイブリッド接合の使用などが挙げられる。
【０００４】
例えば、米国特許第５６８６９２６号は、マルチビームアンテナ装置を開示している。等角の空間を有する２つのビームが１つのアンテナ面に形成される。多重ビームはそのような面を複数結合して生成される。この方法は、アンテナ装置のサイズを減少させ、アンテナが受ける風力負荷を減少させるので、１つの支持構造上に多数のアンテナを搭載することを可能にし、支持構造の実質的な減量を達成する。しかしながら、それぞれのアンテナ要素または列がハイブリッド接合に接続される２要素アレー、すなわちアンテナ要素の２つの垂直列から成る多重ビームアンテナでは、基地局での使用に適した十分に良好な性能が得られないことは明らかである。２要素アレーは、望ましいとされる±３０度の方向角、および約６０度の３ｄＢビーム幅をつくることができるが、十分に良好なサイドローブ抑圧が得られない。図２に２０４５ＭＨｚの周波数における２要素アレーのアジマス角アンテナダイヤグラムのシミュレーションを示した。２要素アレーの幾何構造は図３に示した。左右のビームの第１サイドローブのピークは−１５ｄＢよりずっと大きく、隣接するセルへ大部分のパワーが放射される。
【特許文献１】米国特許第５６８６９２６号明細書
【０００５】
さらに低いサイドローブレベルを提供し、目的の領域を完全にカバーするために基地局に必要なパネルの数が少ない、コンパクトな多重ビームアンテナ装置を可能にするアンテナ配置が所望されている。
【発明の開示】
【０００６】
アンテナの配置およびシステムを開示する。本発明のアンテナは、通信ネットワーク内の基地局に従来技術に比べて低いサイドローブレベルを生成する多重ビームパターンを発生するための開口を１つ備える。該配置とシステムは、開口を形成しているアンテナパネルに沿って３つの垂直な柱に構成された複数の放射器（放射要素）からなる。そのようなアンテナが多数集まって基地局アンテナを形成しており、各開口は２つのビームを生成する。３つの柱からなる各グループは異なる仰角範囲を提供するサブユニットに分割され、それぞれ３つの分離した柱からなる各サブユニットは、アンテナポートを形成する３つの出力端子と、２つの入力端子とを有する分離したビーム形成ネットワークに接続される。直交型の実施形態では、通常、ビーム形成ネットワークはアンテナポートに出現する信号間に９０度の位相勾配を生成する。３つの放射器の柱は垂直方向に分極され、上下方向に並ぶ２乃至８のオーダーのサブユニットから成り、３つの柱のそれぞれが開口に連結した放射要素を少なくとも３つ含む。開口に連結したこれらの放射要素は、一般に、例えばストリップ線ネットワークによって個別に給電されるアンテナ要素の一区画からなる。ビーム形成ネットワークは、９０度の位相勾配を支持するものでも、任意の角度を支持するものでもよい。
【０００７】
本発明によるアンテナの配置は独立請求項１に規定されており、本発明のさらなる実施態様は従属請求項２ないし１２に規定されている。
【０００８】
さらに、本発明によるアンテナシステムは独立請求項１３に規定されており、さらなる実施形態は従属請求項１４ないし１９により定義される。
【発明を実施するための最良の形態】
【０００９】
本発明のさらなる目的および利点と共に、添付図を参照して本発明を以下に詳細に説明する。
【００１０】
マルチローブアンテナを位相アンテナアレーとして実行することができる。ビームに対し何らかの位相操作を行うのに、少なくとも２つの要素が必要である。位相アレーの基本理念を図５に示す。Ｎ要素位相アレーの振幅は、以下の数式により導かれる。
【数１】
2004520732.tif 000003
ここで、
【数２】
2004520732.tif 000004
は要素因子であり、位相勾配はβで、線形アレーの間隔はｄでそれぞれ表されており、およびｋは波数である。角度θ０は、β＋ｋｄ・ｃｏｓθ０＝０のときに最大値をとり、これが走査角を定義する。
【００１１】
理想的な位相アレーでは、位相勾配βおよび要素間の間隔ｄを変化させることにより走査角を所望の値に調整することができる。ビーム幅は要素因子、アレー内の要素Ｎの数、並びに間隔ｄの関数である。実際に利用される際には、アンテナ要素間に無視できない連結があり、それによりビーム幅と走査角が変化する。間隔ｄは十分に小さい、ｄ／λ＜１に保たねばならない。そうでないと、「可視」空間に格子ローブが出現する。
【実施例１】
【００１２】
特定の位置に必要なアンテナユニットの数を、上記に提案した本発明を使用することにより削減することができた。ここで図４を参照されたい。図中の設備では、図１に類似の配置に基づき、４ビームアンテナユニットを３つ使用している。各４ビームユニットは、互いに６０度の角度をなす２つの開口を有する。本発明による改良点によれば、各パネルはアンテナパネル３の開口（図６参照）を形成する放射要素の柱を３つ有し、該開口からは、開口の法線から±３０度の方向に向かう、例えば米国特許第５６８６９２６号に記載の先行技術による同様の構造より、サイドローブレベルの低い、約６０度の範囲の２つのビームが供給される。本発明が提案する新規構造を実施するためには、各パネルの開口、または各サブユニットに、２つの入力端子および３つの出力端子を有するアジマス角ビーム形成ネットワークが必要となる。図６は、図４に示したようにそれぞれ２つのローブを有する２つのパネルを詳細に示したものである。走査角は±α／２度であり、各ローブの幅はβである。隣接し合うアンテナ放射器要素（例えばアンテナ要素区画）間の距離はｄ＝ｄ１＝ｄ２である。該距離は好適には等距離であるが、基本的には異なる距離を選択してもよい。
【００１３】
本発明は１サイトに必要なアンテナの数を減らすと同時に発生するサイドローブのレベルを改善するものである。従来技術によるサイト設備の例を図１に示す。空間ダイバーシチーを有する６セクターからなるサイトが、各２ビーム（６０度の幅を有する２ビーム）を発するアンテナユニットを６つ使用し、合計で１２ビームを供給するように構築されている。各アンテナユニットは２つのパネル開口を有し、互いに６０度の角度をなすように配置される。このような開口の２つは１つのアンテナユニットに統合され、ビームを＋６０度および−６０度に方向付けるように配置される。
【実施例２】
【００１４】
しかしながら、本発明によるアンテナには、図８に示すように、アジマス方向に沿って３つの分離した要素の柱と、ローブを形づくるアジマス角ビーム形成ネットワーク／セクションを有する開口が形成される。図７は、各パネル３ａおよび３ｂに垂直方向に分極された７つの区画式放射器５を有する例示的実施形態を示す。しかしながら、区画要素以外の放射要素が使用可能であるように、入手可能な任意の適切な放射器要素が使用可能であり、分極方法も選択可能である。例えば、本発明の実施形態で使用されている垂直分極の代わりに、＋４５度または−４５度の分極板を選択してもよい。例示的実施形態のパネルは、それぞれ垂直方向に沿って柱に４および３の区画要素を備える２つのサブパネルにさらに分割することができる。１つの可能性として、３×４の上部サブパネルが例えば垂直方向で上部に位置する放射ダイヤグラムであり、３×３の下部サブパネルが下部に位置する放射ダイヤグラムである。当然ながら、１パネルのサブパネルは、仰角およびアジマス角が共通であるが、別々のビーム形成ネットワークにより給電される２つのローブを形成することもできる。図８は、垂直方向に並ぶ３×３のサブパネルを２つ有する基地局アンテナの一部を示すブロック図である。アンテナは垂直方向に並ぶ任意の数のサブパネルに分割することが可能であった。好適な実施例では、アンテナは垂直分極され、一般に垂直方向に並ぶ２ないし８のセクションを備える。各セクションは、それぞれストリップ線ネットワークにより給電される、開口に連結した区画型のアンテナ要素５を少なくとも３つ備える柱をアジマス面内に３つ有する。図８の要素の柱３つは、アジマス角ビーム形成ネットワーク７に接続し、それらの各ネットワークはそれに加えて仰角ビーム形成ネットワーク９に接続する。仰角ビーム形成ネットワークは本発明には含まれないので、ここでは説明を省く。２つのアジマス角ローブを生成する信号Ｓ１およびＳ２は、仰角ビーム形成ネットワークの入力ポートに付属し、所望の仰角ダイヤグラムおよび傾斜角を供給する。
【００１５】
十分に良好なサイドローブ抑圧は、３要素アレーによって達成される。あいにく２要素アレーのサイドローブレベルは実際の利用には高すぎる。３つの端子にビーム形成ネットワークを設計することはより複雑なタスクである。しかし、９０度のハイブリッド接合または９０度のハイブリッドとパワースプリッタとの組み合わせを使用することにより、そのようなネットワーク７を２つ設けることが可能であった。図９に示す第１の実施例では、４つのハイブリッド１１を使用し、アンテナポートに出現する信号間に９０度に固定した位相勾配が生成されている。図１０に示す第２の実施例では、任意の位相勾配が生成される。
【実施例３】
【００１６】
（９０度の位相勾配を有するビーム形成）
４つのハイブリッドからなるアジマス角ビーム形成ネットワークが図９に示されている。パワーコンバイナ１６を使用することにより、ネットワークは３つの出力端子と２つの入力ポートＳ１およびＳ２とを有する。アンテナポートに出現する信号の間には９０度の位相勾配が形成される。アンテナ端子Ａ１、Ａ２およびＡ３に出現する理論的信号を表１に示す。実際には、励起の振幅と位相はアンテナ要素間の連結により変化する。表に示すように、信号電力の因子２により所望のテーパリングが達成される。よって、中間要素の励起、つまり振幅は、サイド要素の励起よりも大きい約４１％である。
【表１】
2004520732.tif 000005
【実施例４】
【００１７】
（任意の位相勾配を有するビーム形成）
任意の位相勾配を有するアジマス角ビーム形成を図１０に示す。該ネットワークは２つのハイブリッド１１、２つのパワースプリッタ１３、２つの位相器１３およびパワーコンバイナ１６からなる。位相器の角度Φを変化させることにより、アンテナポートに出現する信号間に任意の位相勾配が形成される。アンテナ端子Ａ１、Ａ２およびＡ３に出現する理論的励起の例を表２に示す。実際には、前段の例と同様にアンテナ要素間の連結により励起の振幅と位相は変化する。
【表２】
2004520732.tif 000006
【００１８】
（適用例）
３要素アレーのアジマス角アンテナパターンを４×３要素モデル上で測定した。図に示す結果は、連結と給電ネットワークの影響を含む、２つの異なるアジマス角ビーム形成ネットワークの励起を使用してシミュレーションしたものである。図１１は、図１３に示すように、３０ｍｍ幅の要素を５０ｍｍ間隔で配設した場合の、３要素２ビーム開口についての測定値を表に示したものである。ビーム幅は５５度であり、走査角は３７度である。図９の直交構成に走査角３７度を採用した場合、サイドローブレベルは約−２０ｄＢまで落ちることが分かる。図１２は、３０ｍｍ幅の要素を５０ｍｍ間隔で配設した場合の、位相勾配が９０°未満であり、Φが６５度である３要素２ビーム開口の周波数２０４５ＭＨｚにおける測定値を表に示したものである。ビーム幅は５５度であり、走査角は２９度である。この場合、３つの端子間にもはや直交信号が無いとき、サイドローブレベルは最悪で−１５ｄＢのオーダーにやや劣化するが、依然として許容可能な値を示している。アンテナ部分の設計は前述と同様に図１３に示すものである。走査角とビーム幅の結果を表３に示す。
【表３】
2004520732.tif 000007
【００１９】
固定アジマス角ビーム形成ネットワーク（図９のネットワーク）における走査角とビーム幅は、それぞれ理想的には３０度と６０度であるのに対し、３７度と５５度である。しかしながら、表３に見られるように、図１０のネットワークを使用することにより走査角を所望の値に近づけることが可能である。調整可能なネットワークを使用することにより、走査角２９度およびビーム幅５３度が達成される。
【００２０】
６つの方向性結合器を使用することにより、アジマス角ビーム形成ネットワークをブラス行列（Blass matrix）として実行することができる。３つのポートを有するそのようなブラス行列を図１４に示す。ブラス行列では、入力ポートの数はアンテナ要素の数より少なくてよい。入力ポートは行列の右側（図１４のＩｎ１およびＩｎ２）に配置されており、アンテナポートは行列の上に配置されている。残りの接続は適合する負荷で終端処理される。Ｉｎ１およびＩｎ２ポートに到来する信号を結合することにより、２つのビームが形成される。ブラス行列ネットワークの欠点は、入力電力の大部分が端末で失われることである。
【００２１】
区画要素からなる３つの放射柱を駆動する別の変形例は、図１５に示すような３つのポートを有するノーラン行列（Nolan matrix）である。ノーラン行列は、図１６に示すような３つのアンテナと３つのポートを有するネットワークの等価回路になるであろう。ノーラン型アジマス角ビーム形成ネットワークは３つの方向性結合器と３つの位相器から構成される。入力信号は入力ポート（Ｉｎ１、Ｉｎ２またはＩｎ３）のうち２つに到来するようになっており、残りの１ポートは終端処理される。方向性結合器は所望のビームパラメータによって任意の連結および方向性を有することができた。３ポート式のノーランネットワークの欠点は、対称でないため対称的なビームを生成しないことである。
【００２２】
最後に、最初に述べたネットワーク（図９）に関するビーム形成ネットワークの変形例を図１７に示す。Ｎ＝４のバトラー行列（Butler matrix）は、４つの方向性結合器／ハイブリッドと２つの位相器（Φ＝４５度）から構成される。３つのアンテナ要素のアジマス角ビーム形成ネットワークは、バトラー行列の出力ポートの２つを結合することにより達成される。２つのビームの入力信号は一対の入力ポート（１Ｒ／１Ｌまたは２Ｒ／２Ｌ）に接続され、残りのポートは適合する負荷で終端処理される。位相Φは任意のパラメータか、または図１７のように４５度に選択される。
【００２３】
当業者には自明であるように、本明細書でハイブリッドとする箇所に、代わりに方向性結合器を使用してもよい。
【００２４】
最後の図１８には、本発明による３つの放射要素の柱を有する２ビームアンテナ開口の、アジマス角アンテナダイヤグラムの周波数２０４５ＭＨｚにおけるシミュレーションを示す。図から分かるように、右ビームは左ビームの最大値との一致点を持たず、逆もまたそうである。右ローブおよび左ローブそれぞれの左および右のサイドローブレベルは、−２５ｄＢよりずっと低い。これを従来技術を示す図２と比較されたい。
【００２５】
当業者には自明であるように、請求の範囲に規定される本発明の範囲から逸脱することなく、本発明に様々な修正および変更を加えることができる。
【図面の簡単な説明】
【００２６】
【図１】従来技術によるアンテナの構築例であって、スペースダイバーシチーを有する６セクター式アンテナが、それぞれ１２０度異なる方向へ６０度幅の２ビームを発する様子を示す。
【図２】９０度の位相勾配を有する２要素アレーからなる２ビーム開口の、アジマス角アンテナダイヤグラムのシミュレーションを示す。
【図３】周波数２０４５ＭＨｚにおける、開口給電区画式アンテナ要素の２要素アレーからなる２ビーム開口の幾何学的構造を示す。
【図４】スペースダイバーシチーを有する６セクター式アンテナの構築例であって、それぞれ６０度異なる方向へ６０度幅の２ビームを２組発するアンテナによりアジマス角で２４０度がカバーされている様子を示す。
【図５】位相アレーの基本理念を示す。
【図６】放射器要素からなる３つの柱を有し、それぞれ図４に示す２つのローブを有する２つのパネルの拡大図である。
【図７】図６に示す２つの２ビーム開口の側面図である。
【図８】本発明の構造による３要素アジマス角アレーからなる３つの柱を有する２ビーム開口ユニットのブロック図である。
【図９】４つのハイブリッドから構成されるアジマス角ビーム形成回路を示す。
【図１０】任意の位相勾配角度を供給するアジマス角ビーム形成回路を示す。
【図１１】９０度の位相勾配を有する３要素２ビーム開口のビームの１つのアジマス角アンテナダイヤグラムを示す。
【図１２】位相Φ＝６５度の角度を有する３要素２ビーム開口のビームの１つのアジマス角アンテナダイヤグラムを示す。
【図１３】周波数２０４５ＭＨｚにおける、３つの開口給電区画式要素を有する柱を３つずつ備える、２ビーム開口の幾何学的構造を示す。
【図１４】３つのアンテナと３つの入力ポートから構成されるブラス行列を示す。
【図１５】３つのアンテナ要素と３つのポートから構成されるノーラン行列を示す。
【図１６】位相器と３つのポートとを備える３つのアンテナのネットワークを示す。
【図１７】Ｎ＝４の一般的なバトラー行列を示す
【図１８】３つの放射要素を有する２ビームアンテナ開口のアジマス角アンテナダイヤグラムのシミュレーションを示す。
【図１】
2004520732.tif 000008
【図２】
2004520732.tif 000009
【図３】
2004520732.tif 000010
【図４】
2004520732.tif 000011
【図５】
2004520732.tif 000012
【図６】
2004520732.tif 000013
【図７】
2004520732.tif 000014
【図８】
2004520732.tif 000015
【図９】
2004520732.tif 000016
【図１０】
2004520732.tif 000017
【図１１】
2004520732.tif 000018
【図１２】
2004520732.tif 000019
【図１３】
2004520732.tif 000020
【図１４】
2004520732.tif 000021
【図１５】
2004520732.tif 000022
【図１６】
2004520732.tif 000023
【図１７】
2004520732.tif 000024
【図１８】
2004520732.tif 000025
【国際公開パンフレット】
2004520732.tif 000026
2004520732.tif 000027
2004520732.tif 000028
2004520732.tif 000029
2004520732.tif 000030
2004520732.tif 000031
2004520732.tif 000032
2004520732.tif 000033
2004520732.tif 000034
2004520732.tif 000035
2004520732.tif 000036
2004520732.tif 000037
2004520732.tif 000038
2004520732.tif 000039
2004520732.tif 000040
2004520732.tif 000041
2004520732.tif 000042
2004520732.tif 000043
2004520732.tif 000044
2004520732.tif 000045
2004520732.tif 000046
2004520732.tif 000047
2004520732.tif 000048
2004520732.tif 000049
2004520732.tif 000050
2004520732.tif 000051
2004520732.tif 000052
2004520732.tif 000053
【国際調査報告】
2004520732.tif 000054
2004520732.tif 000055
2004520732.tif 000056